(57)【要約】【課題】一方の面に画像が印刷された媒体の他方の面に画像を印刷する場合に、媒体の端部の誤検出を抑制できる印刷装置及び印刷装置の媒体端検出方法を提供する。【解決手段】印刷装置は、媒体Ｍを幅方向Ｘに亘って支持する支持部３０と、媒体Ｍに印刷を行う印刷部と、支持部３０に向けて照射した光の反射光の強度を検出する検出部５３と、支持部３０の第１端Ｘ１に応じた第１の位置Ｐ１から支持部３０の第２端Ｘ２に応じた第２の位置Ｐ２に検出部５３を移動させるときに、最初に受光強度が変化する位置Ｐ１１と最後に受光強度が変化する位置Ｐ１４とに基づいて、媒体Ｍの端部を検出する検出処理を実行する制御部と、を備える。【選択図】図５
2018130917.tif 000002
【特許請求の範囲】
【請求項１】
媒体を幅方向に亘って支持する支持部と、
前記支持部に支持された前記媒体に印刷を行う印刷部と、
前記支持部に向けて照射した光の反射光の強度を検出する検出部と、
前記幅方向における前記支持部の第１端に応じた第１の位置から前記支持部の第２端に
応じた第２の位置に前記検出部を移動させるときに、最初に前記強度が変化する位置と最
後に前記強度が変化する位置とに基づいて、前記媒体の端部を検出する検出処理を実行す
る制御部と、を備える
ことを特徴とする印刷装置。
【請求項２】
前記検出処理を第１の検出処理としたとき、
前記制御部は、
前記第１の位置から前記第２の位置に向けて前記検出部を移動させるときに、最初に前
記強度が変化する位置と当該位置の次に前記強度が変化する位置とに基づいて、前記媒体
の端部を検出する第２の検出処理を実行可能であり、
両面印刷を行う場合には、前記第１の検出処理を実行し、片面印刷を行う場合には、前
記第２の検出処理を実行する
ことを特徴とする請求項１に記載の印刷装置。
【請求項３】
印刷が行われる前記媒体の種類を設定する設定部をさらに備え、
前記検出処理を第１の検出処理としたとき、
前記制御部は、
前記第１の位置から前記第２の位置に向けて前記検出部を移動させるときに、最初に前
記強度が変化する位置と当該位置の次に前記強度が変化する位置とに基づいて、前記媒体
の端部を検出する第２の検出処理を実行可能であり、
透過率の高い前記媒体が設定された場合には、前記第１の検出処理を実行し、透過率の
低い前記媒体が設定された場合には、前記第２の検出処理を実行する
ことを特徴とする請求項１又は請求項２に記載の印刷装置。
【請求項４】
前記印刷部は、インクを吐出するノズルが形成された吐出部と、前記吐出部を支持した
状態で前記幅方向に移動するキャリッジと、を有するものであり、
前記ノズルから吐出されるインクを受容する液体受容部と、
前記吐出部に接触することで、前記ノズルが開口する空間を閉空間とするキャップと、
をさらに備え、
前記幅方向において、前記液体受容部及び前記キャップの一方は、前記支持部の前記第
１端側に配置され、前記液体受容部及び前記キャップの他方は、前記支持部の前記第２端
側に配置される
ことを特徴とする請求項１〜３の何れか一項に記載の印刷装置。
【請求項５】
媒体を幅方向に亘って支持する支持部と、前記支持部に支持された前記媒体に印刷を行
う印刷部と、前記支持部に向けて照射した光の反射光の強度を検出する検出部と、を備え
る印刷装置の媒体端検出方法であって、
前記幅方向における前記支持部の第１端に応じた第１の位置から前記支持部の第２端に
応じた第２の位置に前記検出部を移動させる移動ステップと、
最初に前記強度が変化する位置と最後に前記強度が変化する位置とに基づいて、前記媒
体の端部を検出する検出ステップと、を備える
ことを特徴とする媒体端検出方法。
【発明の詳細な説明】
【技術分野】
【０００１】
本発明は、印刷装置及び媒体端検出方法に関する。
【背景技術】
【０００２】
従来から、印刷装置の一例として、インクを吐出する記録ヘッド（吐出部）と、記録ヘ
ッドを搭載した状態で移動するキャリッジと、を備え、キャリッジを移動させながら記録
ヘッドからインクを吐出することにより、媒体に画像を形成する画像形成装置が知られて
いる。また、こうした印刷装置の中には、キャリッジに搭載され、記録ヘッドのインクの
吐出方向に照射した光の反射光の強度に応じた信号を出力する光学センサー（検出部）を
備えるものがある（例えば、特許文献１）。
【０００３】
そして、この印刷装置は、キャリッジの移動に応じて、光学センサーの出力信号に応じ
た値を取得する。続いて、印刷装置は、光学センサーの出力信号に応じた値が所定の閾値
を上回っているときに、光学センサーの光の照射範囲に媒体が存在していると判断する。
また、印刷装置は、光学センサーの出力信号に応じた値が閾値以下となる区間が所定期間
継続した場合に、光学センサーの光の照射範囲に媒体が存在していないと判断する。
【先行技術文献】
【特許文献】
【０００４】
【特許文献１】特開２０１６−９３９９３号公報
【発明の概要】
【発明が解決しようとする課題】
【０００５】
ところで、上記のような印刷装置を用いて、薄紙などの透光性を有する媒体に両面印刷
を行う場合には、媒体の一方の面に印刷した画像が媒体の他方の面に透けて見える場合が
ある。このため、上記のような印刷装置を用いて、透光性を有する媒体の一方の面の印刷
後に他方の面の印刷を行うと、他方の面の画像が透ける領域において、光学センサーの出
力信号に応じた値が閾値以下となる区間が継続する場合がある。したがって、上記のよう
な印刷装置では、透光性を有する媒体に両面印刷を行う場合に、実際には媒体が存在して
いるにも関わらず媒体が存在していないと判断するおそれがある。その結果、上記のよう
な印刷装置は、媒体の端部を正確に検出できないおそれがある。
【０００６】
本発明は、上記実情に鑑みてなされたものである。その目的は、一方の面に画像が印刷
された媒体の他方の面に画像を印刷する場合に、媒体の端部の誤検出を抑制できる印刷装
置及び媒体端検出方法を提供することにある。
【課題を解決するための手段】
【０００７】
以下、上記課題を解決するための手段及びその作用効果について記載する。
上記課題を解決する印刷装置は、媒体を幅方向に亘って支持する支持部と、前記支持部
に支持された前記媒体に印刷を行う印刷部と、前記支持部に向けて照射した光の反射光の
強度を検出する検出部と、前記幅方向における前記支持部の第１端に応じた第１の位置か
ら前記支持部の第２端に応じた第２の位置に前記検出部を移動させるときに、最初に前記
強度が変化する位置と最後に前記強度が変化する位置とに基づいて、前記媒体の端部を検
出する検出処理を実行する制御部と、を備える。
【０００８】
上記構成によれば、第１の位置から第２の位置に検出部を移動させた場合の反射光の強
度が最初に変化する位置及び最後に変化する位置に基づいて、媒体の端部が検出される。
このため、裏面に印刷された画像が媒体の表面に透けている場合など、媒体の幅方向にお
ける端部でない位置で強度が変化していたとしても、当該位置を媒体の端部と検出するこ
とを抑制できる。したがって、一方の面に画像が印刷された媒体の他方の面に画像を印刷
する場合に、媒体の端部の誤検出を抑制できる。
【０００９】
また、上記印刷装置において、前記検出処理を第１の検出処理としたとき、前記制御部
は、前記第１の位置から前記第２の位置に向けて前記検出部を移動させるときに、最初に
前記強度が変化する位置と当該位置の次に前記強度が変化する位置とに基づいて、前記媒
体の端部を検出する第２の検出処理を実行可能であり、両面印刷を行う場合には、前記第
１の検出処理を実行し、片面印刷を行う場合には、前記第２の検出処理を実行することが
好ましい。
【００１０】
上記構成によれば、片面印刷を行う場合、すなわち、裏面に印刷された画像が表面に透
けていない媒体に印刷を行う場合には、第２の検出処理が実行される。このため、検出部
を第１の位置から第２の位置まで移動させることなく媒体の端部の検出が行われる点で、
媒体の端部を速やかに検出できる。一方、両面印刷を行う場合、すなわち、裏面に印刷さ
れた画像が表面に透けている可能性のある媒体に印刷を行う場合には、第１の検出処理が
実行される。このため、検出部を第１の位置から第２の位置まで移動させて媒体の端部の
検出が行われる点で、媒体の端部を精度良く検出できる。
【００１１】
また、上記印刷装置は、印刷が行われる前記媒体の種類を設定する設定部をさらに備え
、前記検出処理を第１の検出処理としたとき、前記制御部は、前記第１の位置から前記第
２の位置に向けて前記検出部を移動させるときに、最初に前記強度が変化する位置と当該
位置の次に前記強度が変化する位置とに基づいて、前記媒体の端部を検出する第２の検出
処理を実行可能であり、透過率の高い前記媒体が設定された場合には、前記第１の検出処
理を実行し、透過率の低い前記媒体が設定された場合には、前記第２の検出処理を実行す
ることが好ましい。
【００１２】
上記構成によれば、透過率が高い媒体に印刷を行う場合、すなわち、裏面に印刷された
画像が表面に透けやすい媒体に印刷を行う場合には、第１の検出処理が実行される。この
ため、検出部を第１の位置から第２の位置まで移動させて媒体の端部の検出が行われる点
で、媒体の端部を精度良く検出できる。一方、透過率が低い媒体に印刷を行う場合、すな
わち、裏面に印刷された画像が表面に透けにくい媒体に印刷を行う場合には、第２の検出
処理が実行される。このため、検出部を第１の位置から第２の位置まで移動させることな
く媒体の端部の検出が行われる点で、媒体の端部を速やかに検出できる。
【００１３】
また、上記印刷装置において、前記印刷部は、インクを吐出するノズルが形成された吐
出部と、前記吐出部を支持した状態で前記幅方向に移動するキャリッジと、を有するもの
であり、前記ノズルから吐出されるインクを受容する液体受容部と、前記吐出部に接触す
ることで、前記ノズルが開口する空間を閉空間とするキャップと、をさらに備え、前記幅
方向において、前記液体受容部及び前記キャップの一方は、前記支持部の前記第１端側に
配置され、前記液体受容部及び前記キャップの他方は、前記支持部の前記第２端側に配置
されることが好ましい。
【００１４】
上記構成によれば、印刷を行わないときに、キャップによってノズルが開口する空間を
閉空間とするキャッピングが行われることで、ノズルを介して吐出部内のインクが乾燥す
ることを抑制できる。また、印刷を開始前には、キャッピングの解除後に、ノズルからイ
ンク受容に液体を吐出させるフラッシングが行われることで、ノズルの状態を印刷に適し
た状態とすることができる。さらに、この構成によれば、キャッピングを解除してからフ
ラッシングを行うまでに、キャリッジが第１の位置から第２の位置に向かって移動するこ
ととなる。このため、この移動時に検出処理を実行することで、検出処理を効率的に実行
できる。
【００１５】
上記課題を解決する媒体検出方法は、媒体を幅方向に亘って支持する支持部と、前記支
持部に支持された前記媒体に印刷を行う印刷部と、前記支持部に向けて照射した光の反射
光の強度を検出する検出部と、を備える印刷装置の媒体端検出方法であって、前記幅方向
における前記支持部の第１端に応じた第１の位置から前記支持部の第２端に応じた第２の
位置に前記検出部を移動させる移動ステップと、最初に前記強度が変化する位置と最後に
前記強度が変化する位置とに基づいて、前記媒体の端部を検出する検出ステップと、を備
える。
【００１６】
上記構成によれば、上述した印刷装置と同等の作用効果を得ることができる。
【図面の簡単な説明】
【００１７】
【図１】一実施形態に係る印刷装置の側面図。
【図２】上記印刷措置の要部の正面図。
【図３】印刷時に制御部が実行する処理を示すフローチャート。
【図４】第２の検出処理時の受光強度の変化を示す模式図。
【図５】第１の検出処理時の受光強度の変化を示す模式図。
【発明を実施するための形態】
【００１８】
以下、印刷装置の一実施形態について図面を参照しつつ説明する。本実施形態の印刷装
置は、用紙などの媒体に液体の一例としてのインクを吐出することで、文字や画像を形成
するインクジェットプリンターである。
【００１９】
図１に示すように、印刷装置１０は、媒体Ｍの搬送方向に沿って、ロール状に巻き重ね
た媒体Ｍを繰り出す繰出部２０と、媒体Ｍを支持する支持部３０と、媒体Ｍを搬送する搬
送部４０と、媒体Ｍに印刷を行う印刷部５０と、媒体Ｍを巻き取る巻取部６０と、を備え
ている。また、図１及び図２に示すように、印刷装置１０は、各種の構成部材を制御する
制御部７０と、印刷部５０をメンテナンスするメンテナンス部８０と、ユーザー（オペレ
ーター）が操作する操作パネル等からなる設定部９０と、備えている。
【００２０】
なお、以降の説明では、印刷装置１０の幅方向を「幅方向Ｘ」とし、印刷装置１０の奥
行方向を「前後方向Ｙ」とし、印刷装置１０の高さ方向を「上下方向Ｚ」とする。本実施
形態において、幅方向Ｘ、前後方向Ｙ及び上下方向Ｚは互いに交差（直交）する方向であ
る。また、図２に示すように、幅方向Ｘにおける一端（図２では左端）を「第１端Ｘ１」
とし、幅方向Ｘにおける他端（図２では右端）を「第２端Ｘ２」とする。
【００２１】
図１に示すように、繰出部２０は、媒体Ｍをロール状に巻き重ねたロール体Ｒ１を着脱
自在に保持する保持部２１を有している。保持部２１は、両面に何も印刷されていない媒
体Ｍが巻き重ねられたロール体Ｒ１を保持したり、一方の面に印刷がされた媒体Ｍが巻き
重ねられたロール体Ｒ２を保持したりする。そして、繰出部２０は、ロール体Ｒ１を一方
向（図１では反時計方向）に回転させることで、ロール体Ｒ１から巻き解いた媒体Ｍの繰
り出しを行う。
【００２２】
搬送部４０は、媒体Ｍの搬送経路の下方に配置される駆動ローラー４１と、媒体Ｍの搬
送経路の上方に配置される従動ローラー４２と、駆動ローラー４１を駆動する搬送モータ
ー４３と、を備えている。駆動ローラー４１及び従動ローラー４２は、幅方向Ｘを回転軸
方向として回転するローラーである。そして、搬送部４０は、駆動ローラー４１及び従動
ローラー４２に媒体Ｍを挟持させた状態で、搬送モーター４３を駆動することで、繰出部
２０から繰り出された媒体Ｍを搬送方向に搬送する。
【００２３】
支持部３０は、幅方向Ｘを長手方向とし、媒体Ｍの搬送方向を短手方向とする板状をな
している。媒体Ｍの幅方向Ｘにおける長さは、印刷装置１０が印刷可能な媒体Ｍのうち、
幅方向Ｘにおける長さが最大の媒体Ｍの長さよりも長くなっている。こうして、支持部３
０は、幅方向Ｘに亘って、媒体Ｍを支持することを可能としている。また、支持部３０に
おいて、媒体Ｍを支持する支持面３１は、例えば、黒色などの反射率の低い色となってい
る。
【００２４】
図２に示すように、印刷部５０は、インクを吐出するノズル５１が形成された吐出部５
２（吐出ヘッド）と、光学式の検出部５３と、吐出部５２及び検出部５３を支持するキャ
リッジ５４と、キャリッジ５４を幅方向Ｘに往復移動可能に支持するガイド軸５５と、を
備えている。また、印刷部５０は、幅方向Ｘにおける第１端Ｘ１に設けられる従動プーリ
ー５６と、幅方向Ｘにおける第２端Ｘ２に設けられる駆動プーリー５７と、従動プーリー
５６及び駆動プーリー５７に巻き掛けられるタイミングベルト５８と、駆動プーリー５７
を駆動するキャリッジモーター５９と、を備えている。
【００２５】
吐出部５２は、キャリッジ５４の下面に支持されている。吐出部５２には、支持部３０
に向かって種類の異なるインク（例えば、シアンインク、マゼンタインク、イエローイン
ク及びブラックインク）を吐出する複数のノズル５１が形成されている。また、吐出部５
２では、種類の等しいインクを吐出する複数のノズル５１が幅方向Ｘと交差する方向（例
えば、媒体Ｍの搬送方向）に整列することで、ノズル列が構成されている。
【００２６】
検出部５３は、キャリッジ５４の下面に、吐出部５２と隣り合うように支持されている
。検出部５３は、光を照射する投光部と光を受光する受光部とを有する反射型の光学セン
サーである。検出部５３は、支持部３０に向けて光を照射（投光）するとともに、その反
射光を受光する「検出」を行う。すなわち、検出部５３の光を照射する方向は、吐出部５
２がインクを吐出する方向と言うこともできる。
【００２７】
そして、印刷部５０では、ユーザーからの印刷指令又はメンテナンス指令などに基づき
、キャリッジモーター５９が駆動される。すると、駆動プーリー５７及び従動プーリー５
６に巻き掛けられたタイミングベルト５８が回転し、当該タイミングベルト５８に連結さ
れたキャリッジ５４が幅方向Ｘに移動する。そして、キャリッジ５４が幅方向Ｘに移動す
る際に、吐出部５２が支持部３０に支持された媒体Ｍにインクを吐出する。また、キャリ
ッジ５４が幅方向Ｘに移動する際に、検出部５３が検出を行う。
【００２８】
図１に示すように、巻取部６０は、媒体Ｍを巻き重ねたロール体Ｒ２を着脱自在に保持
する保持部６１と、搬送方向と交差する方向に媒体Ｍにテンション（張力）を付与するテ
ンションバー６２と、を備えている。そして、巻取部６０は、ロール体Ｒ２を一方向（図
１では反時計方向）に回転させることで、印刷済みの媒体Ｍの巻き取りを行う。なお、巻
取部６０は、媒体Ｍに印刷された画像がロール体Ｒ２の径方向外側を向くように巻き取っ
てもよいし、媒体Ｍに印刷された画像がロール体Ｒ２の径方向内側を向くように巻き取っ
てもよい。
【００２９】
図２に示すように、メンテナンス部８０は、支持部３０の第１端Ｘ１側に配置されるキ
ャップ機構８１と、支持部３０の第２端Ｘ２側に配置される液体受容機構８２と、を備え
ている。なお、以降の説明では、キャリッジ５４の幅方向Ｘにおける移動領域のうち、キ
ャップ機構８１と吐出部５２とが向き合う位置を「第１のメンテナンス位置Ｐ１ｍ」とも
言い、液体受容機構８２と吐出部５２とが向き合う位置を「第２のメンテナンス位置Ｐ２
ｍ」とも言う。
【００３０】
キャップ機構８１は、上方に開口する箱状をなすキャップ８３と、キャップ８３を昇降
移動させる昇降部８４と、を備えている。そして、キャップ機構８１は、第１のメンテナ
ンス位置Ｐ１ｍにキャリッジ５４が配置されたときに、キャップ８３を上昇させることで
当該キャップ８３を吐出部５２に接触させる。こうして、キャップ機構８１は、吐出部５
２のノズル５１が開口する空間を閉空間とする「キャッピング」を行う。キャッピングは
、ノズル５１を介して吐出部５２の内部のインクの溶媒成分の蒸発を抑制する目的で行わ
れる。このため、キャッピングは、例えば、印刷装置１０が印刷を行わない場合に行われ
る。
【００３１】
液体受容機構８２は、上方に開口する箱状をなす液体受容部８５を備えている。そして
、液体受容機構８２は、第２のメンテナンス位置Ｐ２ｍにキャリッジ５４が配置されたと
きに、吐出部５２のノズル５１から印刷とは無関係に吐出されるインクを受容する。以降
の説明では、吐出部５２のノズル５１が印刷とは無関係にインクを吐出することを「フラ
ッシング」とも言う。フラッシングは、ノズル５１内に形成される大気とインクとの気液
界面（メニスカス）をインクの吐出に適するものとするために行われる。このため、フラ
ッシングは、印刷装置１０が印刷を行っていない状態から印刷を行う状態に移行する場合
に行われたり、吐出部５２に形成されたノズル５１のうち、長期間に亘ってインクを吐出
していないノズル５１が存在する場合に行われたりする。
【００３２】
制御部７０は、印刷装置１０と接続される端末などから印刷ジョブを受け付けたときに
、上述した各種の構成の駆動を制御する。例えば、制御部７０は、繰出部２０、搬送部４
０及び巻取部６０の駆動を制御することで、媒体Ｍを搬送方向に単位搬送量だけ搬送する
搬送動作を行わせる。また、制御部７０は、印刷部５０の駆動を制御することで、キャリ
ッジ５４を幅方向Ｘに移動させつつ、吐出部５２から媒体Ｍに向けてインクを吐出させる
吐出動作を行わせる。そして、制御部７０は、搬送動作と吐出動作とを交互に行わせるこ
とで、媒体Ｍに対する印刷を行う印刷動作を行わせる。
【００３３】
なお、本実施形態の印刷装置１０は、両面（第１面及び第２面）に印刷が行われていな
い媒体Ｍの一方の面に印刷を行う「片面印刷」と、一方の面に印刷が行われた媒体Ｍの他
方の面に印刷を行う「両面印刷」と、を行うことを可能としている。
【００３４】
ただし、本実施形態の印刷装置１０は、媒体Ｍの表裏を反転する反転機構を備えていな
いため、一方の面の印刷を行われた媒体Ｍを巻き取ったロール体Ｒ２を繰出部２０の保持
部２１に再度セットして、両面印刷を行うこととなる。
【００３５】
また、制御部７０は、印刷を開始する前に、検出部５３から送信される信号に基づいて
、支持部３０の支持面３１上に媒体Ｍが存在しているか否かを判定したり、支持面３１上
の何れの位置に媒体Ｍの端部が位置しているか判定したりする。
【００３６】
詳しくは、制御部７０は、支持部３０の幅方向Ｘにおける第１端Ｘ１側の端部位置であ
る第１の位置Ｐ１から支持部３０の幅方向Ｘにおける第２端Ｘ２側の端部位置である第２
の位置Ｐ２にキャリッジ５４を移動させつつ、検出部５３に検出を行わせる。また、制御
部７０は、検出部５３が受光した反射光の強度（以下、「受光強度」とも言う。）に応じ
た信号を検出部５３から受信する。こうして、制御部７０は、幅方向Ｘにおける検出部５
３の位置に応じた受光強度の推移を取得する。
【００３７】
ここで、本実施形態では、支持部３０の支持面３１の反射率が媒体Ｍの表面の反射率よ
りも低く設定されている。このため、制御部７０は、受光強度が大きく変化する位置に媒
体Ｍの端部が存在していると判定できる。例えば、支持面３１に光を照射したときの反射
光の受光強度と、媒体Ｍの表面に光を照射したときの反射光の受光強度との中間値を「閾
値Ｔｈ」とする。この場合、制御部７０は、受光強度が閾値Ｔｈ未満の状態から閾値Ｔｈ
以上の状態となったり、受光強度が閾値Ｔｈ以上の状態から閾値Ｔｈ未満の状態となった
りする位置に媒体Ｍの端部が存在していると判断できる。
【００３８】
そして、このようにして検出した媒体Ｍの端部の位置は、支持部３０上に媒体Ｍが正し
くセットされているか否かの判定に使用されたり、その後の印刷処理においてインクを吐
出可能な領域の判定に使用されたりする。
【００３９】
ただし、媒体Ｍの一方の面に画像が印刷された媒体Ｍの他方の面に印刷を行う場合には
、一方の面に印刷した画像が他方の面に透けて見えることがある。この場合には、画像が
透けていない部分と透けている部分との境界で受光強度が変化することで、実際には媒体
Ｍの端部が存在していない位置を媒体Ｍの端部と誤検出するおそれがある。
【００４０】
そこで、本実施形態において、制御部７０は、第１の位置Ｐ１から第２の位置Ｐ２に検
出部５３を移動させつつ検出を行わせるときに、最初に受光強度が変化する位置と最後に
受光強度が変化する位置とに基づいて、媒体Ｍの両端部を検出する第１の検出処理（検出
処理）を実行する。
【００４１】
言い換えれば、制御部７０は、最初に受光強度が閾値Ｔｈ以上となる位置と最後に受光
強度が閾値Ｔｈ未満となる位置とに基づいて、媒体Ｍの両端部を検出する第１の検出処理
を実行する。このため、第１の位置Ｐ１と第２の位置Ｐ２との間の位置において、受光強
度が閾値Ｔｈを跨いで変化する点が複数存在したとしても、制御部７０が、そうした受光
強度が変化する位置を媒体Ｍの端部と判断することが抑制される。
【００４２】
その一方で、印刷を行う媒体Ｍの表面に画像が透けていない場合には、第１の位置Ｐ１
から第２の位置Ｐ２まで検出部５３を移動させつつ検出を行わなくても、最初に受光強度
が変化する位置と当該位置の次に受光強度が変化する位置に基づいて、媒体Ｍの端部を検
出可能である。
【００４３】
そこで、本実施形態において、制御部７０は、印刷を行う媒体Ｍの表面に画像が透けて
いないと判断できる場合には、第１の位置Ｐ１から第２の位置Ｐ２に向けて検出部５３を
移動させるときに、最初に受光強度が変化する位置と当該位置の次に受光強度が変化する
位置に基づいて、媒体Ｍの両端部を検出する第２の検出処理を実行する。
【００４４】
言い換えれば、制御部７０は、最初に受光強度が閾値Ｔｈ以上となる位置と当該位置の
次に受光強度が閾値Ｔｈ未満となる位置とに基づいて、媒体Ｍの両端部を検出する第２の
検出処理を実行する。
【００４５】
詳しくは、両面印刷を行う場合には、印刷を行う媒体Ｍの表面に画像が透けている可能
性が大きい一方、片面印刷を行う場合には、印刷を行う媒体Ｍの表面に画像が透けている
可能性が小さい。このため、制御部７０は、両面印刷を行う場合には第１の検出処理を実
行し、片面印刷を行う場合には第２の検出処理を実行する。すなわち、第２の検出処理を
実行する場合には、検出部５３が第１の位置Ｐ１から第２の位置Ｐ２まで検出を行うこと
が抑制される点で、検出に要する処理コストを低減できる。
【００４６】
次に、図３に示すフローチャートを参照して、本実施形態の制御部７０が印刷ジョブの
投入時に実行する処理の流れ（媒体端検出方法）について説明する。このフローチャート
は、印刷を実行しておらず、吐出部５２がキャッピングされた状況下で印刷ジョブが投入
されたときの処理の流れを示している。
【００４７】
図３に示すように、制御部７０は、媒体Ｍに印刷する画像に関する情報に加え、両面印
刷及び片面印刷の何れの印刷を行うかといった印刷条件に関する情報などが含まれる印刷
ジョブを受け付ける（ステップＳ１１）。
【００４８】
続いて、制御部７０は、キャップ機構８１によるキャッピングを解除させる（ステップ
Ｓ１２）。そして、制御部７０は、ステップＳ１１で取得した印刷ジョブの内容に基づい
て、これから行う印刷が両面印刷であるか片面印刷であるかを判定する（ステップＳ１３
）。両面印刷を行う場合（ステップＳ１３：ＹＥＳ）、制御部７０は、第１の検出処理を
実行する（ステップＳ１４）。すなわち、キャリッジ５４が幅方向Ｘにおける第１端Ｘ１
から第２端Ｘ２に移動することで、検出部５３が第１の位置Ｐ１から第２の位置Ｐ２まで
移動する。また、検出部５３による検出は、検出部５３が第１の位置Ｐ１から第２の位置
Ｐ２まで移動する期間に亘って行われる。この点で、本実施形態では、第１の検出処理が
「移動ステップ」と「検出ステップ」との一例に相当する。
【００４９】
一方、片面印刷を行う場合（ステップＳ１３：ＮＯ）、制御部７０は、第２の検出処理
を実行する（ステップＳ１５）。すなわち、キャリッジ５４が幅方向Ｘにおける第１端Ｘ
１から第２端Ｘ２に移動することで、検出部５３が第１の位置Ｐ１から第２の位置Ｐ２ま
で移動する。ただし、第２の検出処理では、検出部５３による検出は、検出部５３が第１
の位置Ｐ１から第２の位置Ｐ２まで移動する期間に亘って行われない。すなわち、第２の
検出処理では、受光強度の変化を２度検出したタイミング以降において、検出部５３によ
る検出が行われなくなる。
【００５０】
そして、制御部７０は、キャリッジ５４の第２端Ｘ２への移動を継続させることで、キ
ャリッジ５４が第２のメンテナンス位置Ｐ２ｍに位置すると、吐出部５２にフラッシング
を行わせる（ステップＳ１６）。続いて、制御部７０は、印刷動作を行わせるための印刷
処理を実行し（ステップＳ１７）、本処理を一旦終了する。
【００５１】
次に、図４及び図５を参照して、本実施形態の印刷装置１０の作用について説明する。
図４に示すように、印刷装置１０において、片面印刷を行う場合には、キャッピングを
解除したキャリッジ５４を第１のメンテナンス位置Ｐ１ｍから第２端Ｘ２に向かって移動
させるとともに、検出部５３に検出を行わせる。すると、検出部５３が第１の変化位置Ｐ
１１に移動したときに、支持部３０の支持面３１の反射率に応じた受光強度が、媒体Ｍの
表面の反射率に応じた受光強度に変化する。このため、受光強度が最初に変化する第１の
変化位置Ｐ１１が媒体Ｍの第１端Ｘ１側の端部位置とされる。言い換えれば、受光強度が
閾値Ｔｈ以上となる第１の変化位置Ｐ１１が媒体Ｍの第１端Ｘ１側の端部位置とされる。
【００５２】
その後、キャリッジ５４の第２端Ｘ２への移動が継続されると、検出部５３が第２の変
化位置Ｐ１２に移動したときに、媒体Ｍの表面の反射率に応じた受光強度が、支持部３０
の支持面３１の反射率に応じた受光強度に変化する。このため、受光強度が第１の変化位
置Ｐ１１の次に変化する位置である第２の変化位置Ｐ１２が媒体Ｍの第２端Ｘ２側の端部
位置とされる。言い換えれば、受光強度が閾値Ｔｈ未満となる第２の変化位置Ｐ１２が媒
体Ｍの第２端Ｘ２側の端部位置とされる。
【００５３】
ここで、片面印刷を行う場合には、第２の検出処理が実行されるため、検出部５３が第
２の変化位置Ｐ１２に移動した以降は検出部５３による検出が行われなくなる。このため
、媒体Ｍの第２端Ｘ２側の端部位置を取得した後は、キャリッジ５４が第２のメンテナン
ス位置Ｐ２ｍに移動するまで、検出部５３の検出には不向きな移動速度までキャリッジ５
４の移動速度を速めたり、検出部５３の検出結果を処理する必要がなくなる点で制御部７
０の負荷を低減したりすることが可能となる。
【００５４】
その後、第２のメンテナンス位置Ｐ２ｍにキャリッジ５４が位置すると、フラッシング
が実行される。続いて、検出された媒体Ｍの端部位置に基づいて、片面印刷が開始される
。
【００５５】
一方、図５に示すように、印刷装置１０において、両面印刷を行う場合には、キャッピ
ングを解除したキャリッジ５４を、第１のメンテナンス位置Ｐ１ｍから第２端Ｘ２に向か
って移動させる。そして、キャリッジ５４に支持される検出部５３が第１の位置Ｐ１から
第２の位置Ｐ２に移動する際に、検出部５３が検出を行う。すなわち、第２の検出処理と
異なり、第１の検出処理では、第１の位置Ｐ１から第２の位置Ｐ２までの範囲の受光強度
を検出した後に、媒体Ｍの端部がどの位置に存在しているか否かの判定がされる。
【００５６】
例えば、図５に示すように、検出部５３による検出領域の中央部の裏面に画像Ｉｍｇが
印刷され、当該画像Ｉｍｇが媒体Ｍの表面に透けていると、検出部５３が、第１の変化位
置Ｐ１１、第２の変化位置Ｐ１２、第３の変化位置Ｐ１３及び第４の変化位置Ｐ１４に移
動したときに受光強度が変化する。
【００５７】
この場合、本実施形態では、最初に受光強度が変化する第１の変化位置Ｐ１１、すなわ
ち、受光強度が最初に閾値Ｔｈ以上となる第１の変化位置Ｐ１１が媒体Ｍの第１端Ｘ１側
の端部位置とされる。また、最後に受光強度が変化する第４の変化位置Ｐ１４、すなわち
、受光強度が最後に閾値Ｔｈ未満となる第４の変化位置Ｐ１４が媒体Ｍの第２端Ｘ２側の
端部位置とされる。このため、媒体Ｍの裏面に印刷された画像Ｉｍｇによって受光強度が
変化する第２の変化位置Ｐ１２及び第３の変化位置Ｐ１３を媒体Ｍの第２端Ｘ２側の端部
位置と誤検出しにくい。
【００５８】
その後、第２のメンテナンス位置Ｐ２ｍにキャリッジ５４が位置すると、フラッシング
が実行される。続いて、検出された媒体Ｍの端部位置に基づいて、両面印刷が開始される
。
【００５９】
以上説明した実施形態によれば、以下に示す効果を得ることができる。
（１）第１の位置Ｐ１から第２の位置Ｐ２に検出部５３を移動させた場合の受光強度が
最初に変化する位置（第１の変化位置Ｐ１１）及び最後に変化する位置（第４の変化位置
Ｐ１４）に基づいて、媒体Ｍの端部を検出する。このため、裏面に印刷された画像が媒体
Ｍの表面に透けている場合など、媒体Ｍの幅方向Ｘにおける端部でない位置で受光強度が
変化していたとしても、当該位置を媒体Ｍの端部と検出することを抑制できる。したがっ
て、一方の面に画像が印刷された媒体Ｍの他方の面に画像を印刷する場合に、媒体Ｍの端
部の誤検出を抑制できる。
【００６０】
（２）片面印刷を行う場合、すなわち、裏面に印刷された画像が表面に透けていない媒
体Ｍに印刷を行う場合には、第２の検出処理が実行される。このため、印刷装置１０は、
検出部５３を第１の位置Ｐ１から第２の位置Ｐ２まで移動させることなく媒体Ｍの端部位
置を取得できる点で、媒体Ｍの端部を速やかに検出できる。
【００６１】
（３）印刷を行わないときに、キャッピングが行うことで、ノズル５１を介して吐出部
５２内のインクが乾燥することを抑制できる。また、印刷を開始前に、フラッシングが行
うことで、ノズル５１の状態を印刷に適した状態とすることができる。さらに、本実施形
態によれば、キャッピングを解除してからフラッシングを行うまでに、キャリッジ５４が
第１の位置Ｐ１から第２の位置Ｐ２に向かって移動することとなる。このため、印刷装置
１０は、この移動時に検出処理を実行することで、当該検出処理を効率的に実行できる。
【００６２】
なお、上記実施形態は、以下に示すように変更してもよい。
・図３に示すフローチャートにおいて、ステップＳ１３の処理を、印刷を行う対象とな
る媒体Ｍの透過率が高いか否かを判定するステップとしてもよい。そして、制御部７０は
、媒体Ｍの透過率が高い場合に第１の検出処理を実行し、媒体Ｍの透過率が低い場合に第
２の検出処理を実行してもよい。
【００６３】
これによれば、透過率が高い媒体Ｍに印刷を行う場合、すなわち、裏面に印刷された画
像が表面に透けやすい媒体Ｍに印刷を行う場合には、第１の検出処理が実行される。この
ため、検出部５３を第１の位置Ｐ１から第２の位置Ｐ２まで移動させて媒体Ｍの端部の検
出が行われる点で、媒体Ｍの端部を精度良く検出できる。一方、透過率が低い媒体Ｍに印
刷を行う場合、すなわち、裏面に印刷された画像が表面に透けにくい媒体Ｍに印刷を行う
場合には、第２の検出処理が実行される。このため、印刷装置１０は、検出部５３を第１
の位置Ｐ１から第２の位置Ｐ２まで移動させることなく媒体Ｍの端部位置を取得できる点
で、媒体Ｍの端部を速やかに検出できる。
【００６４】
なお、この場合、ユーザーは、設定部９０を介して、媒体Ｍの種類に関する情報を印刷
装置１０（制御部７０）に入力することが好ましい。これによれば、制御部７０は、設定
部９０を介して入力された情報に基づいて、媒体Ｍの透過率に基づく判定を行うことがで
きる。一方、印刷装置１０が媒体Ｍの表面の透過率を測定可能な測定部を備えている場合
には、制御部７０は、当該測定部の測定結果に基づいて、媒体Ｍの透過率に基づく判定を
行ってもよい。
【００６５】
・印刷装置１０は、支持部３０に媒体Ｍの搬送経路を向く撮像部を備えてもよい。この
場合、制御部７０は、撮像部が撮像した媒体Ｍの裏面の撮像結果に基づいて、当該裏面に
画像が印刷されているか否かを判定してもよい。なお、この場合の撮像部は、画像を撮像
するカメラであってもよいし、媒体Ｍの裏面に片面印刷が行われたことを示す文字及び記
号を読み取るスキャナーであってもよい。
【００６６】
・第１の位置Ｐ１は、支持部３０の第１端Ｘ１側の端部位置でなくてもよいし、第２の
位置Ｐ２は、支持部３０の第２端Ｘ２側の端部位置でなくてもよい。例えば、第１の位置
Ｐ１及び第２の位置Ｐ２は、支持部３０の幅方向Ｘにおける端部位置よりも外側の位置で
あってもよいし、内側の位置であってもよい。
【００６７】
・支持部３０は、搬送方向に沿って、上方に突出する搬送リブを有していてもよい。言
い換えれば、支持部３０の支持面３１は凹凸を有していてもよい。
・印刷装置１０は、ロール体Ｒ１から巻き解かれた媒体Ｍに印刷を行うとともに、印刷
済みの媒体Ｍをロール体Ｒ２に巻き取る印刷装置１０でなくてもよい。印刷装置１０は、
例えば、単票紙に印刷を行うものであってもよい。この場合、印刷装置１０は、媒体Ｍの
表裏を反転させる反転経路を備え、片面印刷と両面印刷とを連続的に行ってもよい。
【００６８】
・印刷装置１０は、インクを吐出することで記録を行うプリンターに限らず、例えばレ
ーザープリンター、ＬＥＤプリンター、熱転写プリンター（昇華型プリンターを含む）な
どのノンインパクトプリンターでもよいし、ドットインパクトプリンターなどのインパク
トプリンターでもよい。
【００６９】
・媒体Ｍは、透過性を有する媒体Ｍであれば用紙でなくてもよい。例えば、プラスチッ
クフィルムであってもよいし、布帛であってもよい。
【符号の説明】
【００７０】
１０…印刷装置、２０…繰出部、２１…保持部、３０…支持部、３１…支持面、４０…
搬送部、４１…駆動ローラー、４２…従動ローラー、４３…搬送モーター、５０…印刷部
、５１…ノズル、５２…吐出部、５３…検出部、５４…キャリッジ、５５…ガイド軸、５
６…従動プーリー、５７…駆動プーリー、５８…タイミングベルト、５９…キャリッジモ
ーター、６０…巻取部、６１…保持部、６２…テンションバー、７０…制御部、８０…メ
ンテナンス部、８１…キャップ機構、８２…液体受容機構、８３…キャップ、８４…昇降
部、８５…液体受容部、９０…設定部、Ｉｍｇ…画像、Ｍ…媒体、Ｐ１…第１の位置、Ｐ
２…第２の位置、Ｐ１１…第１の変化位置、Ｐ１２…第２の変化位置、Ｐ１３…第３の変
化位置、Ｐ１４…第４の変化位置、Ｐ１ｍ…第１のメンテナンス位置、Ｐ２ｍ…第２のメ
ンテナンス位置、Ｒ１，Ｒ２…ロール体、Ｔｈ…閾値、Ｘ…幅方向、Ｘ１…第１端、Ｘ２
…第２端、Ｙ…前後方向、Ｚ…上下方向。
【図１】
2018130917.tif 000003
【図２】
2018130917.tif 000004
【図３】
2018130917.tif 000005
【図４】
2018130917.tif 000006
【図５】
2018130917.tif 000007